(57)【要約】【課題】  迅速に且つ容易に折畳みや展開動作を行うことができる折畳式自転車を提供する。【解決手段】  本考案は、前輪（２０）、後輪（２０１）、サドル（３０）、クランクセット（４０）及びフレーム体（１０）を含み、フレーム体（１０）は一端が前輪（２０）と連結されると共に、他端にハンドルバー(１１１)が設けられ、更に位置決め用クイックレバー（５１）を含む滑動可能な固定部材（５０）が備えられるヘッドチューブ（１１）と、一端が固定部材（５０）に枢設され、他端が後輪（２０１）と連結されると共に、周縁に後輪（２０１）と連結されるクランクセット（４０）が取付けられるダウンチューブ（１２）と、一端がヘッドチューブ（１１）のハンドルバー（１１１）側に、他端がダウンチューブ（１２）の後輪（２０１）側に枢設されると共に、サドル（３０）が取付けられるトップチューブ（１３）と、を有する。【選択図】  図１
0003109376.tif 000002
【実用新案登録請求の範囲】
【請求項１】
前輪（２０）と、後輪（２０１）と、サドル（３０）と、クランクセット（４０）と、フレーム体（１０）とを含み、
前記フレーム体（１０）は、一端が前輪（２０）と連結されると共に、他端にハンドルバー(１１１)が設けられ、更に、自身を位置決めるためのクイックレバー（５１）を有する滑動可能な固定部材（５０）が備えられるヘッドチューブ（１１）と、
一端が固定部材（５０）に枢設され、他端が後輪（２０１）と連結されると共に、該後輪（２０１）と連結されるクランクセット（４０）が取付けられるダウンチューブ（１２）と、
傾斜状となるように、一端が前記ヘッドチューブ（１１）上のハンドルバー（１１１）側に、他端がダウンチューブ（１２）の後輪（２０１）側に枢設されると共に、周縁にサドル（３０）が取付けられるトップチューブ（１３）と、を有することを特徴とする折畳式自転車。
【請求項２】
前記固定部材（５０）のクイックレバー（５１）は、ヘッドチューブ（１１）上に取付けられるC形の締付けプレート（５１１）を有し、該締付けプレート（５１１）の末端に互いに対応する貫通孔が形成され、該貫通孔に、クイックレバー（５１）におけるネジ部を有するピン（５１２）が貫入され、該ピン（５１２）の一端に固定用のナット（５１３）が取付けられると共に、他端に締付けレバー（５１４）が設けられ、該締付けレバー（５１４）は、側面に位置決めレバー（５１４ｃ）が延設される軸心（５１４ａ）を有し、該軸心（５１４ａ）の両側にそれぞれ、小幅部及び大幅部を有する締付けリング（５１４ｂ）が対称的に設けられることを特徴とする請求項１に記載の折畳式自転車。
【請求項３】
前記クランクセット（４０）は、ペダル軸（４１）を有し、該ペダル軸（４１）は、調整部材（４２）上に固設され、該調整部材（４２）は、前記ダウンチューブ（１２）上に滑動可能に取付けられると共に、その末端に螺合ロッドを貫設するための、互いに対応する二つの貫通孔が形成され、該螺合ロッドの一端にナットが固定され、また、前記ダウンチューブ（１２）とヘッドチューブ（１１）との間の角度は、９０度よりやや小さく、更に、前記ダウンチューブ（１２）の後輪（２０１）寄りに湾曲部（１２１）が設けられ、該湾曲部（１２１）の末端には、前記トップチューブ（１３）の一端が枢設されることを特徴とする請求項１又は２に記載の折畳式自転車。
【考案の詳細な説明】
【技術分野】
【０００１】
本考案は、特に迅速に且つ容易に、折畳み及び展開動作を行うことができる折畳式自転車に関するものである。
【背景技術】
【０００２】
近年、折畳み式自転車がその利便性から広く使用されるようになってきた。折畳み構造としては、その殆どが自転車本体の前後を折畳んで固定するステップや、ヘッドチューブ及びシートチューブを下げて固定するステップなどを有し、少なくとも６個以上のステップを踏んで折畳み動作を完了させるものである。
【考案の開示】
【考案が解決しようとする課題】
【０００３】
しかしながら、上記従来の構造では、使用者が自転車を使用又は収納する際、折畳みや展開に時間がかかり、更に、使用者が折畳んだ自転車を持ち運ぶ時には、既に自転車は高さが低い状態に折畳まれているので、地面に前後輪を接地させて移動させることは非常に困難である。故に、使用利便性に優れない。
【課題を解決するための手段】
【０００４】
本考案の請求項１は、前輪（２０）と、後輪（２０１）と、サドル（３０）と、クランクセット（４０）と、フレーム体（１０）とを含み、
前記フレーム体（１０）は、一端が前輪（２０）と連結されると共に、他端にハンドルバー(１１１)が設けられ、更に、自身を位置決めるためのクイックレバー（５１）を有する滑動可能な固定部材（５０）が備えられるヘッドチューブ（１１）と、
一端が固定部材（５０）に枢設され、他端が後輪（２０１）と連結されると共に、該後輪（２０１）と連結されるクランクセット（４０）が取付けられるダウンチューブ（１２）と、
傾斜状となるように、一端が前記ヘッドチューブ（１１）上のハンドルバー（１１１）側に、他端がダウンチューブ（１２）の後輪（２０１）側に枢設されると共に、周縁にサドル（３０）が取付けられるトップチューブ（１３）と、を有することを特徴とする折畳式自転車、を提供する。
【０００５】
本考案の請求項２は、前記固定部材（５０）のクイックレバー（５１）は、ヘッドチューブ（１１）上に取付けられるC形の締付けプレート（５１１）を有し、該締付けプレート（５１１）の末端に互いに対応する貫通孔が形成され、該貫通孔に、クイックレバー（５１）におけるネジ部を有するピン（５１２）が貫入され、該ピン（５１２）の一端に固定用のナット（５１３）が取付けられると共に、他端に締付けレバー（５１４）が設けられ、該締付けレバー（５１４）は、側面に位置決めレバー（５１４ｃ）が延設される軸心（５１４ａ）を有し、該軸心（５１４ａ）の両側にそれぞれ、小幅部及び大幅部を有する締付けリング（５１４ｂ）が対称的に設けられることを特徴とする請求項１に記載の折畳式自転車、を提供する。
【０００６】
本考案の請求項３は、前記クランクセット（４０）は、ペダル軸（４１）を有し、該ペダル軸（４１）は、調整部材（４２）上に固設され、該調整部材（４２）は、前記ダウンチューブ（１２）上に滑動可能に取付けられると共に、その末端に螺合ロッドを貫設するための、互いに対応する二つの貫通孔が形成され、該螺合ロッドの一端にナットが固定され、また、前記ダウンチューブ（１２）とヘッドチューブ（１１）との間の角度は、９０度よりやや小さく、更に、前記ダウンチューブ（１２）の後輪（２０１）寄りに湾曲部（１２１）が設けられ、該湾曲部（１２１）の末端には、前記トップチューブ（１３）の一端が枢設されることを特徴とする請求項１又は２に記載の折畳式自転車、を提供する。
【考案の効果】
【０００７】
本考案は上記の課題を解決するものであり、前輪と、後輪と、サドルと、クランクセットと、フレーム体とを含み、
前記フレーム体は、一端が前輪と連結されると共に、他端にハンドルバーが設けられ、更に、自身を位置決めるためのクイックレバーを有する滑動可能な固定部材が備えられるヘッドチューブと、
一端が固定部材に枢設されると共に、他端が後輪と連結され、更に、該後輪と連結されるクランクセットが取付けられるダウンチューブと、
傾斜状となるように、一端が前記ヘッドチューブ上のハンドルバー側に、他端がダウンチューブの後輪側に枢設され、更に、サドルが備えられるトップチューブと、からなるので、使用者が自転車を折畳む時は、単にクイックレバーを緩めてダウンチューブをヘッドチューブに沿って持ち上げると共に、ハンドルバーと前輪を９０度回転させた後、クイックレバーにより固定部材を位置決め固定すれば、自転車を簡単に折畳むことができる。
【０００８】
上述したように、本考案の折畳式自転車は、簡単な動作で自転車の折畳みや展開ができ、また、折畳んだ時の自転車の高さは、使用者が立っている時の高さとほぼ同じであるため、地面に前後輪を接地させた状態で簡単に自転車を移動させることができる。更に、折畳んだ後の自転車の体積は非常に小さいので、自動車で運ぶ時や、収納する時にも非常に便利である。
【考案を実施するための最良の形態】
【０００９】
以下、添付図面を参照して本考案の好適な実施の形態を詳細に説明する。
【実施例】
【００１０】
図１は、本考案に係る折畳式自転車の斜視図であり、図２は、本考案に係る折畳式自転車の固定部材の連結関係を示す部分拡大斜視図であり、図３は、本考案に係る折畳式自転車のクランクセットの連結関係を示す部分拡大斜視図であり、図４は、本考案に係る折畳式自転車の折畳状態を示す斜視図であり、図５は、本考案に係る折畳式自転車の固定部材の連結関係を示す部分拡大断面図である。
【００１１】
図１に示すように、本考案の折畳式自転車は、前輪（２０）と、後輪（２０１）と、サドル（３０）と、クランクセット（４０）と、フレーム体（１０）と、ブレーキ（符号なし）とを含むが、該フレーム体（１０）以外の構成は、従来と同様のものであるため、説明を省略する。
【００１２】
前記フレーム体（１０）は、ヘッドチューブ（１１）と、ダウンチューブ（１２）と、トップチューブ（１３）とから成り、その内、ヘッドチューブ（１１）の一端は、前輪（２０）と連結されると共に、他端にハンドルバー（１１１）が設けられ、更に、図２に示すように、ヘッドチューブ（１１）上には、自身を位置決めるためのクイックレバー（５１）を有する滑動可能な固定部材（５０）が取付けられ、使用者が自転車を使用する時には、ヘッドチューブ（１１）における、前輪（２０）側に固定部材（５０）を位置決め固定する。本実施例中では、前記クイックレバー（５１）は、ヘッドチューブ（１１）上に取付けられるC形の締付けプレート（５１１）を有し、該締付けプレート（５１１）の末端に互いに対応する貫通孔が形成され、該貫通孔に、クイックレバー（５１）におけるネジ部を有するピン（５１２）が貫入され、該ピン（５１２）の一端に固定用のナット（５１３）が取付けられると共に、他端に締付けレバー（５１４）が設けられ、該締付けレバー（５１４）は、周縁に位置決めレバー（５１４ｃ）が延設される軸心（５１４ａ）を有する。また、前記ピン（５１２）の他端は、締付けレバー（５１４）の軸心（５１４ａ）内に固設され、該軸心（５１４ａ）の両側にはそれぞれ、小幅部（符号なし）及び大幅部（符号なし）を有する締付けリング（５１４ｂ）が対称的に設けられ、該締付けリング（５１４ｂ）の小幅部は、位置決めレバー（５１４ｃ）が下方を向いた状態の時、締付けプレート（５１１）と対応し、一方、大幅部は、位置決めレバー（５１４ｃ）が上方を向いた状態の時に、締付けプレート（５１１）と対応する。このような構成であるから、位置決めレバー（５１４ｃ）を上方に１８０度押し上げると、リング（５１４ｂ）が回転し、締付けプレート（５１１）がヘッドチューブ（５１１）に対して締め付けられる。
【００１３】
また、図中に示すように、前記ダウンチューブ（１２）の一端は固定部材（５０）に枢設されると共に、他端は後輪（２０１）に連結され、自転車が展開状態の時は、該ダウンチューブ（１２）とヘッドチューブ（１１）との間の角度は、９０度よりやや小さく、更に、前記ダウンチューブ（１２）の後輪（２０１）寄りには湾曲部（１２１）が設けられると共に、前記クランクセット（４０）は、ダウンチューブ（１２）上に設置され、且つチェーン（符号なし）により後輪（２０１）と連結される。
【００１４】
図３に示すように、本実施例中において、クランクセット（４０）に設けられるペダル軸（４１）は、調整部材（４２）上に固設され、該調整部材（４２）は、前記ダウンチューブ（１２）上に滑動可能に取付けられると共に、その末端に螺合ロッドを貫設するための、互いに対応する二つの貫通孔が形成され、また、該螺合ロッドの一端にはナットが螺嵌され、そのナットにより調整部材（４２）をダウンチューブ（１２）に締め付けることにより、ペダル軸（４１）を位置決め固定する。尚、調整部材（４２）は、ペダル軸（４１）の位置を調整するためのものであるので、異なる身長の使用者に対しても最適な乗り心地を提供することができる。
【００１５】
また、図１に示すように、前記トップチューブ（１３）は、傾斜状となるように、一端が前記ヘッドチューブ（１１）上のハンドルバー（１１１）側に、他端がダウンチューブ（１２）の湾曲部（１２１）の末端に枢設されると共に、周縁にサドル（３０）が備えられる。
【００１６】
図１及び図２に示すように、本考案の折畳式自転車を展開する時は、固定部材（５０）をヘッドチューブ（１１）の前輪（２０）側に位置させると共に、ハンドルバー（１１１）により前輪（２０）を反転させて、前輪（２０）を適当な方向に変更し、その後、開放状態である位置決めレバー（５１４ｃ）を上方へ押し上げて締付けリング（５１４ｂ）を回転させ、締付けプレート（５１１）を締付ける。
【００１７】
一方、図４及び図５に示すように、本考案の折畳式自転車を折畳む時は、クイックレバー（５１）を緩めてダウンチューブ（１２）を固定部材（５０）と共にヘッドチューブ（１１）の上部まで滑動させると共に、ヘッドチューブ（１１）を回転させることによりハンドルバー（１１１）及び前輪（２０）を９０度回転させる。また、この時、ダウンチューブ（１２）は、ヘッドチューブ（１１）及びトップチューブ（１３）に対して枢転し折畳まれると同時に、トップチューブ（１３）もヘッドチューブ（１１）に対して枢転し折畳まれる。また、固定部材（５０）がヘッドチューブ（１１）の、ハンドルバー（１１１）付近まで滑動した時、締付けレバー（５１４ｃ）を上方へ１８０度押し上げ、締付けリング（５１４ｂ）を小幅部から大幅部まで回転させることにより、締付けプレート（５１１）をヘッドチューブ（１１）に対して締付け固定する。これにより、固定部材（５０）は、ヘッドチューブ（１１）上においてしっかりと固定され、折畳状態を維持できるので、自転車をより小さく折畳むことができると共に、使用者は、後輪（２０１）を利用して折畳んだまま自転車を楽に移動させることができる。
【図面の簡単な説明】
【００１８】
【図１】本考案に係る折畳式自転車の斜視図である。
【図２】本考案に係る折畳式自転車の固定部材の連結関係を示す部分拡大斜視図である。
【図３】本考案に係る折畳式自転車のクランクセットの連結関係を示す部分拡大斜視図である。
【図４】本考案に係る折畳式自転車の折畳状態を示す斜視図である。
【図５】本考案に係る折畳式自転車の固定部材の連結関係を示す部分拡大断面図である。
【符号の説明】
【００１９】
１０        フレーム体
１１        ヘッドチューブ
１１１        ハンドルバー
１２        ダウンチューブ
１２１        湾曲部
１３        トップチューブ
２０        前輪
２０１        後輪
３０        サドル
４０        クランクセット
４１        ペダル軸
４２        調整部材
５０        固定部材
５１        クイックレバー
５１１        締付けプレート
５１２        ピン
５１３        ナット
５１４        締付けレバー
５１４ａ        軸心
５１４ｂ        締付けリング
５１４ｃ        位置決めレバー
【図１】
0003109376.tif 000003
【図２】
0003109376.tif 000004
【図３】
0003109376.tif 000005
【図４】
0003109376.tif 000006
【図５】
0003109376.tif 000007